(57)【要約】【課題】  モールドタイプのカップ部を有する衣類において、カップ部を含む部材と、バック布等の前記衣類を構成する他の部材との境界部分における肌触りが良好な、カップ部を有する衣類を提供することを目的とする。【解決手段】  本発明のカップ部を有する衣類は、一対のカップ部１０１を含む圧縮成型部材１０５を備え、前記衣類を構成する他の部材（例えば、バック布１０３）との取り付け部分Ｔにおいて、圧縮成型部材１０５の厚みが薄くなっていることを特徴とする。【選択図】  図１
2015134974.tif 000002
【特許請求の範囲】
【請求項１】
カップ部を有する衣類であって、
一対のカップ部を含む圧縮成型部材を備え、
前記衣類を構成する他の部材と前記圧縮成型部材との取り付け部分において、前記圧縮成型部材の厚みが薄くなっている
ことを特徴とするカップ部を有する衣類。
【請求項２】
前記他の部材は、前記取り付け部分において、前記取り付け部分と隣接する前記圧縮成型部材と平坦となるように取り付けられている、請求項１記載のカップ部を有する衣類。
【請求項３】
前記他の部材の取り付け部分において、前記圧縮成型部材が圧縮によって厚みが薄くなっている、請求項１または２記載のカップ部を有する衣類。
【請求項４】
前記他の部材の取り付け部分において、前記圧縮成型部材に切り欠き部が設けられている、請求項１から３のいずれか一項に記載の記載のカップ部を有する衣類。
【請求項５】
前記他の部材と前記圧縮成型部材とは、熱接着されている、請求項１から４のいずれか一項に記載のカップ部を有する衣類。
【請求項６】
さらに表布を有し、
前記他の部材は、前記表布とともに前記圧縮成型部材に取り付けられている、請求項１から５のいずれか一項に記載のカップ部を有する衣類。
【請求項７】
前記圧縮成型部材は、ウレタンフォームを含んでいる、請求項１から６のいずれか一項に記載のカップ部を有する衣類。
【請求項８】
衣類がブラジャーである、請求項１から７のいずれか一項に記載のカップ部を有する衣類。
【請求項９】
衣類が、さらに衣類本体部を有している、請求項１から７のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、ポリウレタン等の弾性体を成型した、いわゆるモールドタイプのカップやパッド（以下カップ部という）が用いられているものがある（例えば、特許文献１および２参照）。このような衣類においては、カップ部をシームレスにすることができるので、カップの縫着部の凹凸によるバストへの圧迫感や違和感を無くして肌触りを良好なものとすることができる。
【先行技術文献】
【特許文献】
【０００３】
【特許文献１】特開２００１−７３２０３号公報
【特許文献２】特開２００６−１２４８９３号公報
【発明の概要】
【発明が解決しようとする課題】
【０００４】
しかし、従来のモールドタイプのカップ部を有するブラジャーは、カップ部自体はシームレス化されているものの、ブラジャーとする際には、カップ部以外の他の部材を取り付けることとなる。したがって、例えば、脇部分でバック布との連結部を、また、カップ部上部で肩ストラップとの連結部を有している。この連結部には、特段の配慮はなされておらず、縫着による段差が生じるため、肌触りへの影響は避けられなかった。
【０００５】
本発明は、モールドタイプのカップ部を有する衣類において、カップ部を含む部材と、バック布等の前記衣類を構成する他の部材との境界部分における肌触りが良好な、カップ部を有する衣類を提供することを目的とする。
【課題を解決するための手段】
【０００６】
前記目的を達成するために、本発明のカップ部を有する衣類は、
一対のカップ部を含む圧縮成型部材を備え、前記衣類を構成する他の部材と前記圧縮成型部材との取り付け部分において、前記圧縮成型部材の厚みが薄くなっている
ことを特徴とする。
【発明の効果】
【０００７】
本発明のカップ部を有する衣類は、モールドタイプのカップ部を有する衣類において、カップ部を含む部材と、バック布等の前記衣類を構成する他の部材との境界部分における肌触りを良好にすることができる。また、カップ部を含む部材は一体成型可能であるので、製造効率の点でも優れている。
【図面の簡単な説明】
【０００８】
【図１】図１は、本発明のカップ部を有する衣類の一例である、第１の実施形態に係るブラジャーの背面図である。
【図２】図２は、前記第１の実施形態に係るブラジャーの、カップ部を含む圧縮成型部材にバック布を取り付けている取り付け部分の形成方法の一例を説明する図である。
【図３】図３は、前記取り付け部分の形成方法のその他の例を説明する図である。
【図４】図４は、本発明のカップ部を有する衣類の一例である、第２の実施形態に係るブラジャーの背面図である。
【図５】図５（ａ）は、本発明のカップ部を有する衣類の一例である、第３の実施形態に係るブラジャーの背面図である。図５（ｂ）は、前記第３の実施形態に係るブラジャーの、カップ部を含む圧縮成型部材に肩ストラップを取り付けている取り付け部分付近の断面の拡大図である。
【図６】図６（ａ）は、本発明のカップ部を有する衣類の一例である、第４の実施形態に係るブラジャーの背面図である。図６（ｂ）は、前記第４の実施形態に係るブラジャーの、カップ部を含む圧縮成型部材のカップ部上辺部分の断面の拡大図である。
【図７】図７は、本発明のカップ部を有する衣類のその他の例を示す斜視図である。（ａ）は、第５の実施形態に係るブラキャミソールの一例、（ｂ）は、第６の実施形態に係るブラキャミソールの一例である。
【発明を実施するための形態】
【０００９】
本発明のカップ部を有する衣類について、例をあげて説明する。ただし、本発明は、以下の例に限定および制限されない。
【００１０】
（第１の実施形態）
図１に、本発明のカップ部を有する衣類の第１の実施形態に係るブラジャー１００を示す。図１は、本実施形態のブラジャー１００の背面図である。本実施形態のブラジャー１００は、一対のカップ部１０１、一対のカップ部１０１を支持するカップ支持部１０２、一対のバック布１０３および一対の肩ストラップ１０４を備えたいわゆる３／４カップのブラジャーである。一対のカップ部１０１の下辺部には、一対のカップ支持部１０２が設けられ、一対のカップ支持部１０２の下辺部には、土台部１１０が設けられている。そして、一対のカップ支持部１０２は、バージスラインに沿うように形成されており、土台部１１０によって連結されている。一対のカップ部１０１、一対のカップ支持部１０２および土台部１１０は、成型部材によって一体に圧縮成型されている（圧縮成型部材１０５）。土台部１１０の両端となる圧縮成型部材１０５の脇側部分には、一対のバック布１０３の一端が取り付けられている。一対のバック布１０３の他端は、連結係止部１０６が取り付けられて、背中心付近で着脱自在になっている。
【００１１】
本実施形態では、バック布１０３の圧縮成型部材１０５への取り付け部分Ｔにおいて、圧縮成型部材１０５の厚みは、隣接する部分に比べて薄くなっている。このように、取り付け部分Ｔでの圧縮成型部材１０５の厚みを薄くすることにより、取り付け部分における圧縮成型部材１０５とバック布１０３とのトータルの厚みを、取り付け部分に隣接する部分と略同一にすることが可能となる。したがって、圧縮成型部材１０５とバック部１０３との境界部分に生じる段差を解消することができ、着用感を良好にすることが可能となる。また、長時間の着用によって、肌に跡がついてしまったりすることを防ぐこともできる。
【００１２】
バック布１０３は、前記取り付け部分に隣接する部分と平坦となるように取り付けられていることが好ましい。ここで、「平坦」とは、厳密なものに限られず、カップ部を有する衣類の着用時に、肌触りに影響が及ばない程度であることも含む。
【００１３】
圧縮成型部材１０５は、ウレタンフォーム、不織布、あるいはポリウレタンなどの高弾性糸から編成された厚手シート状の丸編素材（ダンボールニット）等を使用することができるが、成型性、耐久性等の点からウレタンフォームが好ましい。
【００１４】
圧縮成型部材１０５の取り付け部分Ｔの厚みは、圧縮成型、切り欠き部を形成する等により、部分的に薄くすることが好ましい。圧縮成型の場合は、例えば、均一な厚みの前記素材を用意し、所望の形状の金型を用いて行う。成型後の厚みが薄い部分は、強く圧縮されるため硬く、成型後の厚みが厚い部分は、弱い圧縮であるため柔らかくなり、好適な厚みと柔らかさを備えた圧縮成型部材１０５を得ることができる。このとき、取り付け部分Ｔの圧縮成型部材１０５は、厚みを薄くすることで硬くすることができるので、ブラジャーの脇部分を支えるボーンとしての効果を得ることができる。
【００１５】
本実施形態のブラジャーでは、連結係止部１０６として、ホック（例えば、フック・アンド・アイ（鈎ホック））を使用することができるが、他の種類の係止具を使用してもよい。また、バック布１０３が連結係止部を有していなくてもよい。例えば、連結係止部を前中心に設けてフロントホックタイプとしてもよい。また、連結係止部がないタイプ、バック布を結んで係止するタイプであってもよい。
【００１６】
連結係止部１０６としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００１７】
本実施形態においては、肩ストラップ１０４の一端はカップ部１０１に取り付けられ、他端はバック布１０３の上辺部に取り付けられた円環の係止具１０８Ａを通って反転し、エイト環からなる長さ調節具１０８Ｂに導入されることによって、肩ストラップ１０４の長さ調整が可能な状態で、肩ストラップ１０４の他端側が、バック布１０３の上辺部に取り付けられている。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック布１０３に取り付ける態様に限定されず、例えば、スポーツタイプのブラジャーの肩ストラップのように、背中側で２本の肩ストラップ１０４が一体となりバック布１０３に取り付けられる態様であってもよい。
【００１８】
本発明は、ワイヤータイプ、ノンワイヤータイプのいずれのタイプのブラジャーにも使用することができる。また、本実施形態では、カップ部１０１は、全体が成型部材によって形成されている例を挙げているが、本発明は、これに限定されるものではない。例えば、ブラジャーの仕様に応じて、カップ部１０１の肩ストラップ取り付け位置を含む脇側部分をマーキゼットやパワーネットといった布材で形成しても良い。
【００１９】
図２に、本発明のカップ部を有する衣類の第１の実施形態に係るブラジャー１００の、カップ部を含む圧縮成型部材１０５にバック布１０３を取り付けている取り付け部分の形成方法の一例を説明する図を示す。同図では、取り付け時の図１における領域Ｓの断面を拡大して説明している。なお、ここでは、圧縮成型部材１０５の表側を覆う表布１２０を含む態様について説明するが、表布１２０を有していない場合も同様にして取り付け部分を形成することができる。
【００２０】
まず、取り付け部分Ｔにおいて厚みが薄くなっている圧縮成型部材１０５を用意する。この圧縮成型部材１０５の取り付け部分Ｔ上に、衣類の表側を覆う表布１２０とバック布１０３とを、この順に重ね合わせる（図２（ａ））。そして、取り付け部分Ｔにおいて、圧縮成型部材１０５に、表布１２０およびバック布１０３を取り付ける（図２（ｂ））。表布１２０は、取り付け部分Ｔの端部で折り返し、圧縮成型部材１０５の表側を覆うようにする（図２（ｃ））。
【００２１】
圧縮成型部材１０５における厚みが薄くなっている取り付け部分Ｔは、あらかじめ形成しておいてもよいが、圧縮成型を行って形成してもよいし、あるいは切り欠き部を後から設けることで形成してもよい。圧縮成型を行う場合、図３（ａ）に示すように、プレス型Ｐを用いて加熱圧縮（ヒートプレス）を行うことで、所望の形状および厚みとすることができる。取り付け部分Ｔの厚みは、隣接する圧縮成型部材１０５の部分に比べ、重ねあわされるバック布１０３等の厚みの分だけ薄いことが好ましい。
【００２２】
取り付け部分Ｔにおいて、圧縮成型部材１０５に、表布１２０およびバック布１０３を取り付けるには、接着、縫着のほか、熱圧着、超音波接着を行うこともできるし、ホットメルト型樹脂からなる接着剤等を用いた熱接着を行ってもよい。
【００２３】
熱接着を行う場合、熱接着性を有するシートを用いることも好ましい。前記シートは、熱接着性を有する樹脂をフィルム状にしたシート、熱接着性を有する樹脂を保持している繊維シート、シートを構成する繊維が熱融着性の繊維を含んでいる繊維シート等を使用することができる。熱融着性の繊維を用いる場合は、芯鞘構造を有した熱融着繊維であると、熱融着後も繊維の強度が保持できるのでより好ましい。ホットメルト型樹脂と呼ばれる加熱溶融型で固形分１００％の樹脂を用いると、工程合理化をはかることができ、特に好ましい。ホットメルト型樹脂としては、ＥＶＡ系、ポリアミド系、ポリエステル系、エラストマー系、アモルファスポリマー系のホットメルト型樹脂を挙げることができる。ホットメルト型樹脂の中でも、湿気硬化、酸素硬化、紫外線硬化、電子線硬化等の反応性を付与した反応性ホットメルト型樹脂は、硬化後の耐久性や耐熱性を向上させることができるので、好適に用いることができる。
【００２４】
熱接着性シート１３０を用いて、圧縮成型部材１０５に、表布１２０およびバック布１０３を取り付ける場合、圧縮成型部材１０５の取り付け部分Ｔ上に、衣類の表側を覆う表布１２０とバック布１０３とを、この順に重ね合わせ、圧縮成型部材１０５と表布１２０との間、および表布１２０とバック布１０３との間に、それぞれ熱接着性シート１３０を挟み込む（図３（ｂ））。そして、取り付け部分Ｔに熱プレスを行い、圧縮成型部材１０５、表布１２０およびバック布１０３を接着させた後（図３（ｃ））、表布１２０を取り付け部分Ｔの端部で折り返し、圧縮成型部材１０５の表側を覆うようにする（図３（ｄ））。
【００２５】
圧縮成型部材１０５とバック布１０３との境界部分には、補強のための部材を設けてもよい。例えば、図３（ｂ）において、圧縮成型部材１０５とバック布１０３との境界部分を覆うように、片面に熱接着面を有するテープ材を配置して熱プレスを行うと、補強部材の取り付けをバック布等の取り付けと同時に行うことができる。
【００２６】
以上、第１の実施形態では、ブラジャー１００は、土台部１１０を介して、左右のカップ支持部１０２が連結されるとともに、カップ支持部１０２とバック布１０３とが連結されている例を挙げて説明した。しかし、本発明は、これに限定されるものではない。
【００２７】
（第２の実施形態）
図４に、本発明のカップ部を有する衣類の第２の実施形態に係るブラジャー２００を示す。図４は、本実施形態のブラジャー２００の背面図である。本実施形態のブラジャー２００は、いわゆるメガネタイプのブラジャーである。より具体的には、バック布１０３がカップ支持部１０２に直接連結されるように前方へ延び、左右のカップ支持部１０２の前中心側部分同士を連結する連結部材を別途備える態様とすることができる。本実施形態においても、第１の実施形態と同様に、圧縮成型部材２０５にバック布１０３を取り付ける取り付け部分Ｔにおいて、圧縮成型部材２０５の厚みは、隣接する部分に比べて薄くなっている。このように、取り付け部分での圧縮成型部材２０５の厚みを薄くすることにより、取り付け部分の圧縮成型部材２０５とバック布１０３とのトータルの厚みを、取り付け部分に隣接する部分と略同一にすることが可能となる。したがって、圧縮成型部材２０５とバック布１０３との境界部分に生じる段差を解消することができ、着用感を良好にすることが可能となる。また、長時間の着用によって、肌に跡がついてしまったりすることを防ぐこともできる。
【００２８】
（第３の実施形態）
図５に、本発明のカップ部を有する衣類の第３の実施形態に係るブラジャー３００を示す。図５（ａ）は、本実施形態のブラジャー３００の背面図である。図５（ｂ）は、本実施形態のブラジャー３００の、一対の肩ストラップ３０４の圧縮成型部材３０５への取り付け部分Ｔ付近の断面（図５（ａ）における二点鎖線で囲む領域Ｓを矢印方向から見た断面）の拡大図である。本実施形態のブラジャー３００では、一対の肩ストラップ３０４の圧縮成型部材３０５への取り付け部分Ｔにおいて、圧縮成型部材３０５の厚みは、隣接する部分に比べて薄くなっている。このように、取り付け部分での圧縮成型部材３０５の厚みを薄くすることにより、取り付け部分の圧縮成型部材３０５と肩ストラップ３０４とのトータルの厚みを、取り付け部分に隣接する部分と略同一にすることが可能となる。したがって、圧縮成型部材３０５と肩ストラップ３０４との境界部分に生じる段差を解消することができ、着用感を良好にすることが可能となる。また、長時間の着用によって、肌に跡がついてしまったりすることを防ぐこともできる。
【００２９】
（第４の実施形態）
図６に、本発明のカップ部を有する衣類の第４の実施形態に係るブラジャー４００を示す。図６（ａ）は、本実施形態のブラジャー４００の背面図である。図６（ｂ）は、本実施形態のブラジャー４００の、カップ部４０１を含む圧縮成型部材４０５のカップ部上辺部分の断面（図６（ａ）における二点鎖線で囲む領域Ｓを矢印方向から見た断面）の拡大図である。本実施形態のブラジャー４００は、カップ部４０１の表側が表布４２０で覆われており、前記カップ部上辺部分において表布４２０がカップ部の裏側に折り返されて、圧縮成型部材４０５に取り付けられている。また、本実施形態においては、圧縮成型部材４０５の裏面（着用時に肌側となる面）に裏打ち布４２１が設けられている。
【００３０】
本実施形態のブラジャー４００では、表布４２０の圧縮成型部材４０５への取り付け部分Ｔにおいて、圧縮成型部材４０５の厚みは、隣接する部分に比べて薄くなっている。このように、取り付け部分での圧縮成型部材４０５の厚みを薄くすることにより、取り付け部分の圧縮成型部材４０５と表布４２０とのトータルの厚みを、取り付け部分に隣接する部分と略同一にすることが可能となる。したがって、圧縮成型部材４０５と表布４２０との境界部分に生じる段差を解消することができ、着用感を良好にすることが可能となる。また、長時間の着用によって、肌に跡がついてしまったりすることを防ぐこともできる。
【００３１】
以上の実施形態においては、ブラジャーを構成するバック布、肩ストラップおよび表布と、圧縮成型部材との取り付け部分について本発明の適用を説明したが、本発明はこれに限られず、圧縮成型部材と他の部材とが重なりあう部分であれば適用することができる。すなわち、衣類を構成する部材であって、カップ部を含む圧縮成型部材に取り付けられる任意の部材についての取り付け部分についても適用することができる。例えば、第１の実施形態においては、圧縮成型部材１０５は一対のカップ部１０１、一対のカップ支持部１０２および土台部１１０で構成されていたが、カップ支持部や土台部が別部材である場合、別部材のカップ支持部や土台部を取り付ける圧縮成型部材（カップ部）の取り付け部分にも適用することができる。
【００３２】
（第５の実施形態）
次に、図７（ａ）に本発明のカップ部を有する衣類のその他の例として、ブラキャミソール５００の斜視図を示す。
【００３３】
このブラキャミソール５００のブラジャー相当部分は、図１で説明したブラジャー１００とほぼ同一の概念のもとに設計されている。本態様においては、ブラキャミソール５００が、土台部１１０の下側に、身頃５０１を有している。本例では、身頃５０１が本発明におけるバック布を兼ねている。バック布を別途設けてその下に身頃５０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３４】
（第６の実施形態）
図７（ｂ）に本発明のカップ部を有する衣類のその他の例として、ブラキャミソール６００の斜視図を示す。このブラキャミソール６００は、キャミソールの身頃内側にブラジャー相当部分が設けられており、前記ブラジャー相当部分は、図１で説明したブラジャー１００とほぼ同一の概念のもとに設計されている。本態様においては、ブラキャミソール６００は、ブラジャー相当部分を覆うように身頃６０１を有している。また、バック布１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１０１のデザインにかかわらず、着用時の外観のバリエーションを多様にすることができる。また、カップ部１０１を、よりアウターにひびかなくすることもできる。
【００３５】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００３６】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３７】
１００、２００、３００、４００  ブラジャー
１０１、２０１、３０１、４０１  カップ部
１０２、２０２、３０２、４０２  カップ支持部
１０３、３０３  バック布
１０４、３０４  肩ストラップ
１０５、２０５、３０５、４０５  圧縮成型部材
１０６  連結係止部
１０８Ａ  円環係止具
１０８Ｂ  長さ調節具
１１０、３１０、４１０  土台部
１２０、４２０  表布
４２１  裏打ち布
１３０  熱接着シート
５００、６００  ブラキャミソール
５０１、６０１  身頃
Ｓ  取り付け部分を含む領域
Ｔ  取り付け部分
Ｐ  プレス型
【図１】
2015134974.tif 000003
【図２】
2015134974.tif 000004
【図３】
2015134974.tif 000005
【図４】
2015134974.tif 000006
【図５】
2015134974.tif 000007
【図６】
2015134974.tif 000008
【図７】
2015134974.tif 000009